(57)【要約】【解決手段】電気スイッチ要素、特にリレーは、アクチュエータ（５）、スイッチコンタクト（２）、及びスイッチ機構（７）を有する。スイッチ機構は、アクチュエータの駆動運動（６）をスイッチコンタクトのスイッチング運動（４）に変換するので、スイッチコンタクトは、相手コンタクト（３）との接触及び接触解除をもたらす。駆動運動が小さいリフトで実行することができるアクチュエータの場合に大きなリフトのスイッチング運動を形成するために、スイッチ機構は、アクチュエータを介して互いに接続された少なくとも２本の回転レバー（８）と、少なくとも１個のコンタクトリテーナ（１０）とを有する。コンタクトリテーナは、２本の回転レバーを縦方向（１５）に沿って接続し、縦方向に対して横断する方向に撓むことができるように構成される。
2009529210.tif 000002
【特許請求の範囲】
【請求項１】
少なくとも１個のアクチュエータ（５）、少なくとも１個のスイッチコンタクト（２）、及びスイッチ機構（７）を有し、該スイッチ機構を介して、前記アクチュエータの駆動運動（６）を前記スイッチコンタクトのスイッチング運動（４）に変換可能である電気スイッチ素子（１）において、
前記スイッチ機構が、前記アクチュエータを介して互いに接続された少なくとも２本の回転レバー（８）と、前記スイッチコンタクトが配置された少なくとも１個のコンタクトリテーナ（１０）とを有し、
該コンタクトリテーナが、前記２本の回転レバーを縦方向（１５）に沿って前記アクチュエータより大きなレバーアーム（１４）に接続し、前記縦方向に対して横断する方向に撓むことができるように構成されることを特徴とする電気スイッチ素子。
【請求項２】
前記スイッチ機構は、前記回転レバー間の角度（２１）の二等分線（２０）に対して対称的に構成されることを特徴とする請求項１記載の電気スイッチ素子。
【請求項３】
前記２本の回転レバーは、少なくとも一回転軸（９）の領域で互いに接続された一体品であることを特徴とする請求項１又は２記載の電気スイッチ素子。
【請求項４】
前記前記回転レバーの前記少なくとも一回転軸（９）の領域において、前記回転レバーが前記スイッチ素子の内部に移動可能に保持される保持部（１７）が構成されることを特徴とする請求項１ないし３のうちいずれか１記載の電気スイッチ素子。
【請求項５】
前記少なくとも一回転軸は、前記少なくとも一方の回転レバーにおいて一体化されていることを特徴とする請求項１ないし４のうちいずれか１項記載の電気スイッチ素子。
【請求項６】
前記少なくとも一回転軸は減衰領域（２２）により形成され、
該減衰領域において、前記回転レバーの変形能は、前記減衰領域に隣接する領域に対して増大することを特徴とする請求項５記載の電気スイッチ素子。
【請求項７】
前記回転レバー間の距離（１９）は、前記少なくとも一回転軸の方向に沿って減少することを特徴とする請求項１ないし６のうちいずれか１項記載の電気スイッチ素子。
【請求項８】
前記少なくとも１本の回転レバーは、前記アクチュエータの前記駆動運動と逆向きである縦方向の範囲に対して横断する方向に弾性的に撓むことができる湾曲ばねとして構成されることを特徴とする請求項１ないし７のうちいずれか１項記載の電気スイッチ素子。
【請求項９】
前記少なくとも２本の回転レバーは、一端が自由に移動可能であると共に他端がしっかりと固定されており、
前記コンタクトリテーナは、前記回転レバーの自由に移動可能な端部を互いに接続することを特徴とする請求項１ないし８のうちいずれか１項記載の電気スイッチ素子。
【請求項１０】
前記コンタクトリテーナは、前記アクチュエータの前記駆動運動に対向するばね要素として構成されていることを特徴とする請求項１ないし９のうちいずれか１項記載の電気スイッチ素子。
【請求項１１】
前記コンタクトリテーナはリーフばねとして構成されていることを特徴とする請求項１０記載の電気スイッチ素子。
【請求項１２】
前記スイッチコンタクトは前記二等分線の領域に位置することを特徴とする請求項１ないし１１のうちいずれか１項記載の電気スイッチ素子。
【請求項１３】
前記コンタクトリテーナは、該コンタクトリテーナの２個の接続点（１２）を前記少なくとも２本の回転レバーに接続する直線（１６）を超えて少なくとも所定領域に前記スイッチング運動の方向に延びることを特徴とする請求項１ないし１２のうちいずれか１項記載の電気スイッチ素子。
【請求項１４】
前記スイッチコンタクトの前記スイッチング運動は、前記二等分線に沿ってほぼ直線的に延びていることを特徴とする請求項１ないし１３のうちいずれか１項記載の電気スイッチ素子。
【請求項１５】
前記少なくとも１個のアクチュエータは、電力が供給される際に、第１作動状態から第２作動状態に移行可能になるように構成された、長さが可変の少なくとも１個の駆動部材（２３）を有し、
前記アクチュエータの前記縦方向に沿った前記駆動部材は、前記第１作動状態における縦寸法に対して前記第２作動状態における縦寸法が異なっていることを特徴とする請求項１ないし１４のうちいずれか１項記載の電気スイッチ素子。
【請求項１６】
前記少なくとも１個の駆動部材はカーボンナノチューブであることを特徴とする請求項１５記載の電気スイッチ素子。
【発明の詳細な説明】
【技術分野】
【０００１】
本発明は、少なくとも１個のアクチュエータ、少なくとも１個のスイッチコンタクト、及びスイッチ機構を有する電気スイッチ素子、特にリレーに関する。スイッチ機構を介して、アクチュエータの駆動運動をスイッチコンタクトのスイッチング運動に変換可能である。
【背景技術】
【０００２】
このタイプの電気スイッチ素子の構造は、例えばリレーの場合には公知である。コイルとアーマチュアの組合せは、リレーの場合にはアクチュエータとして使用されるのが通常である。ここで、アーマチュアは、コイルにより形成される磁力によりばね力に抗して移動する。コイルのスイッチが入れられる際のアーマチュアの運動、駆動運動は、通常はコイルと平行に延びる簡単な接続ロッドによりスイッチコンタクトに移される。接続ロッドは、スイッチング運動を実行し、相手固定コンタクトとの接触及び接触解除をもたらす。このようにして、スイッチコンタクト及び相手コンタクトを接続する回路は、アクチュエータの駆動による過程で閉成し、又は開離する。
【発明の開示】
【発明が解決しようとする課題】
【０００３】
この公知の構造において、スイッチング移動のリフト（lift）は、アクチュエータの駆動のリフトと同じである。このことは、構造特有の結果により生ずる若干のリフトを有するアクチュエータの場合には不利である。スイッチング運動のリフトは、スイッチコンタクト及び相手コンタクトを互いに十分に分離すること、及びスイッチコンタクト及び相手コンタクト間に生ずるスパークを防止することには不十分になるおそれがある。
【０００４】
従って、アクチュエータのリフトは、欧州特許公開第１６７６４２７号明細書に記載されたリレー等の或る電気スイッチ素子内のレバー構造により増大する。しかし、この文献から公知の構造は、リフトが極めて小さいアクチュエータには依然として不十分である。
【０００５】
従って、本発明は、制御されないスパークが発生する可能性をなくし、特に小さいリフトのアクチュエータであっても使用することができる、電気スイッチ素子を開発することを目的とする。
【課題を解決するための手段】
【０００６】
上述の目的は、スイッチ機構が、アクチュエータを介して互いに接続された少なくとも２本の回転レバーと、スイッチコンタクトが配置された少なくとも１個のコンタクトリテーナとを有し、コンタクトリテーナが、２本の回転レバーを縦方向に沿ってアクチュエータより大きなレバーアームに接続し、縦方向に対して横断する方向に撓むことができるように構成される。
【０００７】
本発明によれば、スイッチ機構は１タイプのレバー伝送を形成し、アクチュエータは、回転レバー間で切り換えられると共に、例えば互いに向かう方向に又は離れる方向に回転レバーを移動させる。コンタクトリテーナにより大きなレバーアームがある結果、アクチュエータにより生ずる回転レバーの運動は、コンタクトリテーナの横断方向の撓みを増大することに変換される。この横断方向の撓みはスイッチング運動という結果になる。本構造は、特に小さなリフトを有するアクチュエータと共に使用することに好適であり、それぞれが利点を有する、以下に説明する構成により改善することができる。
【０００８】
一構成において、スイッチ機構は、回転レバー間の角度の二等分線に対して対称的に構成することができる。欧州特許公開第１６７６４２７号明細書等の、レバーを有する公知のリレーの別の問題は、スイッチング運動は直線的ではなく曲線的であるので、非一様に接近する結果生ずるスパークを回避するために、スイッチコンタクト及び相手コンタクトを丸めなければならない。しかし、この構成は、製造コストの増大という結果になると共に、スイッチコンタクト及び相手コンタクト間の接触面積を縮小化し、スイッチコンタクト及び相手コンタクト間の過渡インピーダンスを増大させる結果になる。
【０００９】
スイッチ機構を対称に構成することは、スイッチコンタクトが簡単な方法で直線的スイッチング運動を実行することを意味する。この直線的スイッチング運動は、他の部品よりも迅速に相手コンタクトに接近するスイッチコンタクトの個々の部品がスパークを生ずることを防止する。また、スイッチコンタクト及び相手コンタクトの接触面は、直線的スイッチング運動により、平坦且つ大きく構成することができる。
【００１０】
特に、この構成ではスイッチコンタクトを二等分線上に配置することができ、スイッチング運動を二等分線上に起こすことができる。
【００１１】
電気スイッチ素子の構造に使用される部品数を減少するために、及び結果として組立コストを低減するために、２本の回転レバーを一端で互いに接続して一体品にすることができる。特に、２本の回転レバーを、フォーク又は鋏の形態で配置することができる。
【００１２】
回転レバーの一端に、各々に１個又は共通の１個に対して１個、保持部を構成することができる。保持部上には、スイッチ素子の内側に回転レバーが保持されるので、回転レバーの一方は固定され、他方は自由に動くことができる。特に、駆動運動の過程で弾性的に曲がらないか曲がっても無視できるほど硬い回転レバーの場合、保持部は、互いに対して回転レバーを運動できるようにすべきであると共に、例えば結合部を形成すべきである。
【００１３】
２本の回転レバーが互いに接続されて一体品になる場合、特に２本の回転レバーの接続領域に、共通の保持部を設けることができる。２本の回転レバーは共に、必要空間及び組立時間を減少させる単一のリテーナにより簡単に一箇所に固定することができる。
【００１４】
別の有利な実施形態において、上述したように、例えば、回転レバーの一端のピン上に軸支されたブッシングにより、保持部上に回転レバーの結合リンクを介して少なくとも１本の回転レバーの回転軸を可能にすることができる。しかし、製造及び組立の技術の観点からこれはコスト高であるので、少なくとも１本の回転レバーの回転軸が、回転レバーに一体化することが好ましい。これは、例えば、減衰領域を介して達成することができる。この場合、隣接する領域に対して変形能が増大する減衰領域として、領域を考えるものとする。このような減衰領域は、例えば断面の減少から生ずる。断面の減少は、応力集中を利用して、或いは、例えば減衰領域に他のより柔軟な、より大きな弾性を有する材料の使用による材料の弾性の増大により、回転レバーの断面内で生ずる曲げ応力の増大の結果である。本構成において、回転レバーがアクチュエータにより駆動される場合、好適には減衰領域に弾性変形が生じ、回転レバーは回転軸を形成する減衰領域の周囲を回転する。
【００１５】
電気スイッチ素子のスイッチ機構により占有される空間は、少なくとも一回転軸の方向に沿った回転レバー間の距離を短くすることにより減少することができる。このため、少なくとも一回転軸の領域に、空間が形成される。また、本実施形態は、少なくとも一回転軸から離れる方向を向く回転レバーの端部により大きなリフトを可能にする。
【００１６】
別の有利な実施形態において、少なくとも１本の回転レバーは、その縦方向の範囲に対して横断する方向に弾性的に撓むことができる湾曲ばねとして少なくとも或る領域に構成することができる。有利な方法では、回転レバーにより生成されるリセット力は、過程においてアクチュエータにより生成される駆動力と逆向きである。本実施形態において、回転レバーは、その結果、アクチュエータがオフに切り換えられる際に、規定の初期位置に戻るようスイッチ機構を案内できる戻りばねとして同時に作用する。回転レバーの回転軸及び接続点間の湾曲ばねとして作用する部分は、好適には回転レバー及びアクチュエータ間に配置されるか、減衰領域に合致する。
【００１７】
或いは、又はこの構成に付加して、湾曲ばねとしての回転レバーの少なくとも或る領域において、コンタクトリテーナはまた、好適には２本の回転レバーに両側が実装される例えばリーフばねとして、アクチュエータに対向するばね要素として構成することができる。
【００１８】
アクチュエータが駆動される際に閉成するスイッチコンタクトのスイッチング運動は、本発明に従った実施形態において回転レバーと同じ平面内か、この平面に対して所定角度にあることができる。回転レバーの方向を簡単な方法で指示するために、コンタクトリテーナは、コンタクトリテーナの２個の接続点を少なくとも２本の回転レバーに接続する直線を超えて少なくとも所定領域にスイッチング運動の方向に延びることができる。
【００１９】
少なくとも１個のアクチュエータは、電力が供給される際に、第１作動状態から第２作動状態に移行可能になるように構成された、長さが可変の少なくとも１個の駆動部材を有することができる。駆動部材は、第１作動状態の縦寸法に対して第２作動状態の縦寸法が異なっている。これらのタイプの駆動部材は、例えば圧電スイッチ素子又はカーボンナノチューブである。後者は圧電素子よりも好適である。というのは、高弾性の結果、作動力がより高く、高い磨耗抵抗性を有するからである。
【発明を実施するための最良の形態】
【００２０】
以下、図面を参照し、２つの実施形態の例示により、本発明を説明する。２つの実施形態の異なる特性及びこれら実施形態により達成される利点は、上述の実施形態から浮かび上がるように、互いに結合でき、又は省略することができる。
【００２１】
本発明に従って構成された電気スイッチ素子を、本明細書ではリレーであるが、図１に概略的に示された実施形態を使用して最初に説明する。電気スイッチ素子１は、図１では簡単に破線で示される。
【００２２】
電気スイッチ素子１は、スイッチング運動４の過程で互いに導電接触又は接触解除できる、例えば錠剤状のコンタクトの形態である少なくとも１個の可動スイッチコンタクト２と、好適には相手固定コンタクト３とを具備する。
【００２３】
電気スイッチ素子１はまた、駆動される際に駆動運動６を生成するアクチュエータ５も具備する。
【００２４】
駆動運動６をスイッチコンタクト２のスイッチング運動４に変換するために、スイッチ機構７は、作動方向に沿ってアクチュエータ５及びスイッチコンタクト２間に配置されている。アクチュエータ５が収縮する際にスイッチコンタクト２が移動する方向は、以下ではスイッチ運動４として説明される。
【００２５】
スイッチ機構７は、共通の回転軸９又は少なくとも各々１軸の周りに回転するように電気部品１の内部に保持された少なくとも２本の回転レバー８を有する。回転レバー８は、その縦方向に沿ってアクチュエータ５を介して互いに接続されている。
【００２６】
スイッチ機構７はまた、表面にスイッチコンタクト２が配置される少なくとも１個のコンタクトリテーナ１０を有する。コンタクトリテーナ１０は同様に、回転レバー８を互いに接続すると共に、アクチュエータ５と平行に機械的に切り換えられる。回転レバー８の回転運動を釣り合わせるために、アクチュエータ５及びコンタクトリテーナ１０は、回転レバー８に連接される。
【００２７】
回転レバー８のコンタクトリテーナ１０への接続点１２と各回転レバー８の回転軸９との間のレバーアーム１１は、本実施形態の場合、アクチュエータ５が各回転レバー８に接触するレバーアーム１４より長い。コンタクトリテーナ１０は、この目的のために回転レバー８の自由端に配置することができる。コンタクトリテーナ１０は、２本の回転レバー８間を延びる縦方向１５に対して横断する方向に弾性的に撓むことができるように好適には構成される。コンタクトリテーナ１０は、図１に示されるように、その横断方向に沿って弾性的に撓むことができる、金属製又は合金製のリーフばねとして特に形成することができる。撓みの方向は、例えば図１の実施形態に示されるように、スイッチ運動４の方向と過程において合致する。
【００２８】
コンタクトリテーナ１０は、接続点１２を接続する仮想直線１６を超えてスイッチング運動４の方向に沿った少なくとも所定領域に延びている。スイッチコンタクト２が配置される部分は、好適には直線１６を超えて位置する。
【００２９】
２本の回転レバー８は、特に回転軸９の領域において、互いに接続されて一体品にすることができる。２本の回転レバー８を接続する接続領域１７は、スイッチ機構７用の保持デバイス１８を形成することができる。保持デバイス１８には、スイッチ機構７が電気スイッチ素子１の内部で移動可能に固定されている。接続領域１７は、図１に示されるように、特に中空の筒状クランプ１８ａとして構成することができる。この筒状クランプ１８ａは、電気スイッチ素子１の内部に実装されると共に摩擦固定されるピン１８ｂに弾性的拡大で軸方向に押される。
【００３０】
回転レバー８間の距離１９は、回転軸９の方向に沿ってコンタクトリテーナ１０まで増大するので、回転レバー８は、アクチュエータ５、及び少なくとも図１に示される実施形態においてはコンタクトリテーナ１０が位置する平面内で、ほぼ平坦なフォーク状を形成する。
【００３１】
スイッチ機構７は、回転レバー８により設定された角度２１の二等分線に関して、又は回転レバー８の平面に直交した二等分線２０を通って延びる対称平面に関して、対称的に構成される。スイッチコンタクト２及び相手コンタクト３は同様に、二等分線２０上、又は対称平面内に位置する。
【００３２】
回転レバー８は、図１に示されるように、正確に画定された、すなわち直線状の回転軸９を有する必要はない。逆に、回転軸９は、回転レバー８の変形がアクチュエータ５の駆動運動６により制限された、より拡大した変形領域により決定することができる。
【００３３】
このような変形領域は、図１において一方の回転レバー８上に陰で示された、例えば減衰領域２２の生成により達成することができる。減衰領域２２内部の互いに対する、特に回転レバー８の隣接領域の変形能は、例えば回転レバー８の断面積が減少すること、及びより低い弾性率に材料特性が変更することの一方又は両方により、実現する。駆動移動６の結果生ずる回転レバー８の弾性的撓みの場合、減衰領域２２は、スイッチ素子１の不活動の初期状態を特徴とするアクチュエータ５の非駆動の際にスイッチング運動の端で前提とされるスイッチ位置とは逆の、初期位置を前提とする戻りばねとして作用する。
【００３４】
回転レバー８は、好適には射出成形工程で形成されたプラスチック材料から、又は好適には打抜き加工で形成された金属板から製造することができる。回転レバー８がその全長に沿って弾性的に撓むことができる場合、それらの弾性率は、コンタクトリテーナ１０の弾性率よりも大きいので、コンタクトリテーナ１０の横断方向の撓みを確保する。
【００３５】
アクチュエータ５は、図１に概略的に示された、長さが可変である少なくとも１個の駆動部材２３を有する。長さが可変の駆動部材２３は、圧電素子でもよいが、好適にはカーボンナノチューブである。
【００３６】
図１に示された実施形態において、２本の回転レバー８及びコンタクトリテーナ１０を有するスイッチ機構７は、対称性の結果、二等分線２０に沿って、又はアクチュエータ５の駆動リフトより大きなリフトで二等分線２０を通るレバー機構の平面に対して横断する方向に延びる対称平面に沿って、直線的スイッチング運動４内でスイッチコンタクト２を移動させる平坦レバー機構を形成する。
【００３７】
レバー１１，１４比を超えてスイッチコンタクト２の運動をさらに増大するために、スイッチ素子２とコンタクトリテーナ１０の２個の接続点１２との間の直線により設定される角度２４は、回転軸９及び接続点１２間の回転レバー８により設定される角度２１よりも大きくすることができる。角度２４は45°〜90°であり、好適には60°〜90°である。
【００３８】
図１の実施形態の作用について、以下に説明する。
【００３９】
アクチュエータ５は、電気スイッチ素子１の外側に線材２５，２６からスイッチング電流により駆動される。スイッチング電流は、駆動運動６をもたらすアクチュエータ５の駆動部材２３の長さの変化を生じさせる。駆動運動６の過程では、回転レバー８は、例えば互いに接近する初期位置から移動する。回転レバー８は、この過程で回転軸９の周りを互いに接近する方向に回転するので、回転レバー８間の距離が減少する。スイッチ機構７の対称構成の結果、回転レバー８の運動も同様に対称的である。アクチュエータ５のレバーアーム１４に比べてコンタクトリテーナ１０のレバーアーム１１がより長いことにより、及び角度２１，２４の寸法比のため、駆動運動６のリフトは、スイッチコンタクト２の位置で増大する。
【００４０】
回転レバー８の運動は、スイッチ機構７によって、コンタクトリテーナ１０の横方向の撓み、及びコンタクトリテーナ１０上に実装されたスイッチコンタクト２の横方向の撓み、すなわちスイッチング運動４に変換される。横方向の撓みの方向は、直線１６を越えてスイッチング運動４の方向にコンタクトリテーナ１０を延長することにより、明確に決定される。
【００４１】
コンタクトリテーナ１０がリーフばねとして構成されるので、スイッチング運動４の過程での撓みは可逆的であり、駆動運動６に抗して作用するリセット力をもたらす。このリセット力は、アクチュエータ５がオフに切り換えられる際に、初期位置に回転レバー８を戻す。
【００４２】
スイッチコンタクト２がスイッチング運動４の端において相手コンタクト３と接触すると、スイッチコンタクト２及び相手コンタクト３に導電接続された線材２７，２８が互いに接続される。電気スイッチ素子１の外側に配置され、線材２７，２８に接続されたスイッチング回路は、対応して形成される。
【００４３】
上述の実施形態は、スイッチ素子１の構成には対応して有効である。ここで、アクチュエータ５は、その延長をもたらす駆動運動６を実行するか、スイッチコンタクト２は、スイッチング運動４の過程で相手コンタクト３から離れる方向に移動し、アクチュエータがオフに切り換えられる際に相手コンタクト３上の初期位置に位置する。駆動運動６、スイッチング運動４又はリセット力Ｆの方向のみが、これらの変更で変化する。図１の変形として、スイッチコンタクト２が例えば初期位置の相手コンタクト３に移動すると、アクチュエータ５は、変形に従って回転レバー８を分離する方向に押圧できるので、コンタクトリテーナ１０の位置決め力に抗して相手コンタクト３から離れる方向にスイッチコンタクト２を移動させる。さらに、別の変形では、スイッチコンタクト２は、図１に示されるように互いに向かった回転レバー８の運動によるのではなく、互いから離れる方向の運動により、相手コンタクト３に接触することができる。この目的のために、相手コンタクト３は、図１に示されたものよりも単にコンタクトリテーナ１０の他側に配置されなければならない。
【００４４】
戻りばねとしてのコンタクトリテーナ１０の構成に追加して、或いは代替として、例えば、回転軸９とアクチュエータ５の接続点との間に配置された減衰領域すなわち変形領域２２が弾性リセット力を生成する場合、回転レバー８も戻りばねとして作用することができる。
【００４５】
回転レバー８上のコンタクトリテーナ１０の空間位置は、リレーの空間的要求事項に従って固定することができる。例えば、ばねリテーナ１０は、図１の上面８ａ又は下面８ｂを基準にして回転レバー８の表面上に90°又は他の角度で配置することができるので、スイッチング運動４は、回転レバー８により設定された平面に対して垂直又は他の角度で延びる。
【００４６】
図２に、アクチュエータ５を有するスイッチ機構７の他の実施形態が示される。簡潔にするために、図１の実施形態との差異のみを説明する。図１における参照番号は、同じ作用をなす図２の要素に限り使用される。
【００４７】
図２の実施形態において、コンタクトリテーナ１０は、図１のように回転軸９から離れる方向である、回転レバー８間の領域の外側に向かって延びるのではなく、回転軸に接近する方向である、この領域内に延びている。これにより、特にコンパクトな構造という結果になる。スイッチコンタクト２はまた、コンタクトリテーナ１０と回転レバー８との接続点１２の仮想直線１６を超えてスイッチング運動４の方向に沿って配置されている。スイッチコンタクト２によりアクチュエータ５が短絡される際に実行される運動は、本実施形態においてスイッチング運動４として表現される。
【００４８】
さらに、回転レバー８は、図２の構成では互いに接続された一体品ではなく、電気部品１に対して固く接続されたピン３０に軸支された２個の分離した固い部材である。ピン３０は回転軸９を形成する。図２に見られるように、回転軸９は、回転レバー８の各固定端に位置する。
【００４９】
図１及び図２に示され上述された実施形態の更なる変形は、もちろん可能である。例えば、ばね要素としてのコンタクトリテーナ１０の構成は、アクチュエータ５がスイッチ機構７を自ら回路短絡ばね域に戻すことができる場合、省略することができる。また、複数のスイッチコンタクト２を、回転レバー８により同時に駆動することができる。このことは、複数のコンタクトリテーナ１０に個々に異なって整列したスイッチング運動４を与えることにより、達成することができる。また、回転レバー８は、回転軸９に沿って延長することができる。最後に、アクチュエータ５も回転軸９を超えて配置することができるので、スイッチ機構７は鋏のような構造をとる。
【図面の簡単な説明】
【００５０】
【図１】本発明の第１実施形態に従った電気スイッチ素子の部分を示す斜視図である。
【図２】本発明の第２実施形態に従った電気スイッチ素子の部分を示す斜視図である。
【符号の説明】
【００５１】
１    電気スイッチ素子
２    スイッチコンタクト
４    スイッチング運動
５    アクチュエータ
６    駆動運動
７    スイッチ機構
８    回転レバー
９    回転軸
１０  コンタクトリテーナ
１４  レバーアーム
１５  縦方向
１６  直線
１７  保持部
１９  距離
２０  二等分線
２１  角度
２２  減衰領域
２３  駆動部材
【図１】
2009529210.tif 000003
【図２】
2009529210.tif 000004
【国際調査報告】
2009529210.tif 000005
2009529210.tif 000006